【事件の表示】
　特許第２８５２８７２号「ボール端子集積回路用トレイ」の請求項１ないし７に係る特許に対する特許異議の申立てについて、次のとおり決定する。
【結　論】
　訂正を認める。
　特許第２８５２８７２号の請求項１ないし７に係る特許を維持する。
【理　由】
１．手続の経緯
　本件特許第２８５２８７２号は、平成６年８月１７日（優先権主張１９９３年１０月１５日、米国）の出願に係り、平成１０年１１月２０日に特許権の設定の登録があり、特許掲載公報が平成１１年２月３日に発行され、それに対して、平成１１年７月２８日に小野浩一より、平成１１年８月２日に高田守より、平成１１年８月３日に菊谷圭二より特許異議の申立てがあり、取消理由を通知したところ、平成１２年４月２８日付けで特許異議意見書の提出と共に訂正請求があり、再度の取消理由通知に対し、その指定期間内である平成１２年９月２０日付けで訂正請求がされ、次いで平成１２年１０月１９日付けで特許異議申立人菊谷圭二より上申書が提出されたものである。
　なお、平成１２年４月２８日付け訂正請求は取り下げられている。
　
２．訂正の適否
(1)訂正の内容
　当該訂正は、次の事項を内容とする。
ａ．訂正事項ａ
　特許請求の範囲の請求項１〜７の記載、
「【請求項１】　プレーナーハウジング及び当該ハウジングの一つの側面に配置された端子のアレイを有している集積回路構成部分を収納するトレイであって、
　格納ポケット領域を規定し、集積回路構成部分を位置決めする枠組手段であって、水平面内において集積回路構成部分ハウジングの位置を安定させる枠組手段と、
　前記集積回路構成部分の一つの側面に噛み合わせるための前記枠組手段を横切る第１の支持平面を規定する前記枠組手段により支えられた第１の支持手段と、
　前記集積回路構成部分の他の側面に噛み合わせるための前記第１の支持平面に並行でかつ離間された第２の支持平面を規定する前記枠組手段により支えられた第２の支持手段とを備えており、
　前記トレイは、当該トレイが第１の実質的に水平な位置にあり前記第１の支持平面が前記第２の支持平面の上方にあるときに、前記集積回路構成部分を当該集積回路構成部分の第１の方向でもって格納し、該トレイが第２の実質的に水平な位置にあり前記第１の支持平面が前記第２の支持平面の下方にあり、かつ前記枠組手段が前記第１及び第２の方向の両方で前記格納ポケット領域トレイに前記集積回路構成部分の位置を安定させるときに、前記集積回路構成部分を当該集積回路構成部分の第２の方向でもって格納することを特徴とするトレイ。
【請求項２】　前記枠組手段は、前記集積回路構成部分ハウジングのエッジに最も近い格納ポケット領域の制限を規定する複数の交差している壁手段を含み、当該壁手段のそれぞれは、中央部分と、前記第１及び第２の支持平面の一つの側面に対して垂直に延伸している前記壁手段の各交差におけるコーナー延伸部と、各前記壁手段の中央に配置されかつ前記第１及び第２の支持平面の他の側面に対して垂直に延伸している中央延伸部とを含み、当該中央延伸部及び該コーナー延伸部は、前記トレイがそれぞれ第１及び第２の集積回路構成部分方向であるときに前記集積回路構成部分を安定させることを特徴とする請求項１に記載のトレイ。
【請求項３】　前記中央延伸部及び前記コーナー延伸部のそれぞれは、前記中央部分と交差している面取りされたエッジを有することを特徴とする請求項２に記載の集積回路構成部分を格納するトレイ。
【請求項４】　プレーナーハウジング及び所定の位置で当該ハウジングの一つの側面に配置されたボール端子のアレイをそれぞれが有している複数のボールグリッドアレイ集積回路構成部分を格納する、第１及び第２のトレイを含んでいるトレイシステムであって、該第１及び第２のトレイのそれぞれは、前記集積回路構成部分のそれぞれに対する格納ポケット領域を規定する枠組手段と、
　前記集積回路構成部分の一つの側面に噛み合わせるための第１の支持平面を規定する各前記格納ポケット領域において前記枠組手段により支えられた第１の支持手段と、
  前記集積回路構成部分の他の側面に噛み合わせるための前記第１の支持平面に並行な第２の支持平面を規定する各前記格納ポケット領域において前記枠組手段により支えられた第２の支持手段と、
  前記第１及び第２のトレイの積み重ねを可能にする手段とを備えており、
  前記第１及び第２のトレイは、前記集積回路構成部分を捕らえ、隣接する積み重ねられたトレイの前記枠組手段は、対応している格納ポケット領域内で水平面内において前記集積回路構成部分の位置を安定させることを特徴とするトレイシステム。
【請求項５】　前記第１及び第２のトレイのそれぞれは、積み重ねた関係で前記第１及び第２のトレイを位置合せする第１及び第２の相補的位置合わせ手段を有することを特徴とする請求項４に記載のトレイシステム。
【請求項６】　前記第１及び第２のトレイのそれぞれは、外部周縁部分を有し、前記位置合わせ手段は、積み重ねた関係で前記第１及び第２のトレイを位置合せするために各トレイの対向側面から延伸すべく取付けられた相補的位置決め手段を含むことを特徴とする請求項５に記載のトレイシステム。
【請求項７】　各前記トレイの前記枠組手段は、前記集積回路構成部分のエッジに最も近い格納ポケット領域の制限を規定する複数の交差している壁手段を含み、当該壁手段のそれぞれは、中央部分と、前記第１及び第２の支持平面の一つの側面に対して垂直に延伸している前記壁手段の各交差におけるコーナー延伸部と、各前記壁手段の中央に配置されかつ前記第１及び第２の支持平面の他の側面に対して垂直に延伸している中央延伸部とを含み、該コーナー延伸部及び該中央延伸部は、前記トレイがそれぞれ第１及び第２の方向であるときに前記集積回路構成部分を安定させ、前記積み重ねられた第１及び第２のトレイの一つの前記中央延伸部は、前記積み重ねられた第１及び第２のトレイの他のコーナー延伸部と噛み合わせることを特徴とする請求項４に記載のトレイシステム。」を、
「【請求項１】　プレーナーハウジング及び当該ハウジングの一つの側面に配置された端子のアレイを有している集積回路構成部分を収納するボール端子集積回路用トレイであって、
　格納ポケット領域を規定し、集積回路構成部分を位置決めする枠組手段であって、水平面内において集積回路構成部分ハウジングの位置を安定させる枠組手段と、
　前記集積回路構成部分の一つの側面に噛み合わせるための前記枠組手段を横切る第１の支持平面を規定する前記枠組手段により支えられた第１の支持手段と、
　前記集積回路構成部分の他の側面に噛み合わせるための前記第１の支持平面に並行でかつ離間された第２の支持平面を規定する前記枠組手段により支えられた第２の支持手段とを備えており、かつ、
　前記集積回路構成部分の端縁際に、中央延伸部とコーナー延伸部とが、集積回路構成部分の端縁の上下を縦断するように、上下反対向きに設けられており、
　前記トレイは、当該トレイが第１の実質的に水平な位置にあり前記第１の支持平面が前記第２の支持平面の上方にあるときに、前記中央延伸部が、第１の方向において前記集積回路構成部分を安定させて、前記集積回路構成部分を第１の方向でもって格納し、該トレイが第２の実質的に水平な位置にあり前記第１の支持平面が前記第２の支持平面の下方にあるときに、前記コーナー延伸部が、第２の方向において前記集積回路構成部分を安定させて、前記集積回路構成部分を第２の方向でもって格納することを特徴とするボール端子集積回路用トレイ。
【請求項２】　前記枠組手段は、第１の支持手段と第２の支持手段とが設けられており前記集積回路構成部分ハウジングのエッジに最も近い格納ポケット領域の境界を規定する複数の交差している壁手段を含み、当該壁手段のそれぞれは、中央部分と、前記第１及び第２の支持平面の一つの側面に対して垂直に延伸している前記壁手段の各交差におけるコーナー延伸部と、各前記壁手段の中央に配置されかつ前記第１及び第２の支持平面の他の側面に対して垂直に延伸している中央延伸部とを含み、
　集積回路構成部分が、第１の方向及び第２の方向であるときに、前記中央延伸部及び前記コーナー延伸部が、それぞれ、集積回路構成部分を安定させることを特徴とする請求項１に記載のボール端子集積回路用トレイ。
【請求項３】　前記中央延伸部及び前記コーナー延伸部のそれぞれは、面取りされており前記壁手段の中央部分と直交する端面を有することを特徴とする請求項２に記載の集積回路構成部分を格納するボール端子集積回路用トレイ。
【請求項４】　プレーナーハウジング及び所定の位置で当該ハウジングの一つの側面に配置されたボール端子のアレイをそれぞれが有している複数のボールグリッドアレイ集積回路構成部分を格納する、第１及び第２のトレイを含んでいるボール端子集積回路用トレイシステムであって、該第１及び第２のトレイのそれぞれは、前記集積回路構成部分のそれぞれに対する格納ポケット領域を規定する枠組手段と、
　前記集積回路構成部分の一つの側面に噛み合わせるための第１の支持平面を規定する各前記格納ポケット領域において前記枠組手段により支えられた第１の支持手段と、
  前記集積回路構成部分の他の側面に噛み合わせるための前記第１の支持平面に並行な第２の支持平面を規定する各前記格納ポケット領域において前記枠組手段により支えられた第２の支持手段と、
  前記第１及び第２のトレイの積み重ねを可能にする手段とを備えており、
かつ、
　積み重ねられた場合に第２のトレイの第２の支持平面を縦断するコーナー延伸部と、積み重ねられた場合に第１のトレイの第１の支持平面を縦断する中央延伸部とが、前記集積回路構成部分の端縁際に、上下反対向きに設けられており、
  前記第１及び第２のトレイは、前記集積回路構成部分を捕らえ、隣接する積み重ねられたトレイの前記枠組手段は、対応している格納ポケット領域内で水平面内において前記集積回路構成部分の位置を安定させることを特徴とするボール端子集積回路用トレイシステム。
【請求項５】　前記第１及び第２のトレイのそれぞれは、積み重ねた関係で前記第１及び第２のトレイを位置合せする第１及び第２の相補的位置合わせ手段を有することを特徴とする請求項４に記載のボール端子集積回路用トレイシステム。
【請求項６】　前記第１及び第２のトレイのそれぞれは、外部周縁部分を有し、前記位置合わせ手段は、積み重ねた関係で前記第１及び第２のトレイを位置合せするために各トレイの対向側面から延伸すべく取付けられた相補的位置決め手段を含むことを特徴とする請求項５に記載のボール端子集積回路用トレイシステム。
【請求項７】　各前記トレイの前記枠組手段は、第１の支持手段と第２の支持手段とが設けられており前記集積回路構成部分のエッジに最も近い格納ポケット領域の境界を規定する複数の交差している壁手段を含み、当該壁手段のそれぞれは、中央部分と、前記第１及び第２の支持平面の一つの側面に対して垂直に延伸している前記壁手段の各交差におけるコーナー延伸部と、各前記壁手段の中央に配置されかつ前記第１及び第２の支持平面の他の側面に対して垂直に延伸している中央延伸部とを含み、
　前記集積回路構成部分が、第１の方向、第２の方向であるときに、前記中央延伸部、前記コーナー延伸部が、それぞれ、前記集積回路構成部分を安定させ、第１のトレイと第２のトレイとが積み重ねられた場合に、片方のトレイの一つの中央延伸部が、他方のトレイのコーナー延伸部と噛み合うことを特徴とする請求項４に記載のボール端子集積回路用トレイシステム。」
と訂正する。
　
ｂ．上記ａの訂正に伴い、発明の詳細な説明の欄の対応する記載を整合をとって訂正する。
　
(2)訂正の目的の適否及び新規事項の追加、拡張・変更の存否
　上記訂正ａは、「トレイ」、「壁手段」、「トレイシステム」を下位概念に限定にするものであり、「中央延伸部」「コーナー延伸部」の構成、相対関係を明りょうにするものであって、特許請求の範囲の減縮および明りょうでない記載の釈明に該当する。
　また、上記訂正事項ｂは、ａの訂正に伴って、特許請求の範囲の記載と発明の詳細な説明の欄の記載の整合を図るものであって、明りょうでない記載の釈明に該当する。
　そして、いずれも、願書に添付した明細書に記載した事項の範囲内の事項であり、かつ、実質上特許請求の範囲を拡張するものでも、変更するものでもないと認められる。
　
(3)独立特許要件の判断
(A)訂正明細書に係る発明について
　訂正明細書の請求項１ないし請求項７に係る発明（以下、それぞれ、「訂正発明１」ないし「訂正発明７」という。）は、訂正明細書および図面の記載からみて、その特許請求の範囲の請求項１ないし請求項７に記載された事項により特定されるとおりのものと認める（その記載事項は、前記(1)ａ欄の記載参照）。
　
(B)引用刊行物
　当審が通知した取消理由で引用した、実願平2-91395号(実開平4-48135号)のマイクロフィルム（以下、「刊行物１」という。）、特開平5-166992号公報（以下、「刊行物２」という。）、実願平2-59086号(実開平4-19487号)のマイクロフィルム（以下、「刊行物３」という。）および実願昭60-123872号(実開昭62-31089号)のマイクロフィルム（以下、「刊行物４」という。）には、それぞれ、図面と共に次の記載があるものと認める。
　
[刊行物１]
「本考案の目的はＴＡＢの半導体素子部に無理な力を加えることがないＴＡＢ用トレイを提供することにある。」（３頁12〜14行）
「(1)　上下に積み重ねるトレーの組を有するＴＡＢ用トレイであって、
　各段のトレーは、上面側に、半導体素子部が搭載されたＴＡＢを収納するＴＡＢ収納部を有し、かつ、ＴＡＢ収納部の下面より下方に突出し、下段トレーに当接して上段トレーのＴＡＢ収納部底面をＴＡＢの半導体素子部より上方に引離した高さ位置に保持するリブを有することを特徴とするＴＡＢ用トレー。
　(2)　前記トレーは、ＴＡＢ収納部内にＴＡＢの側縁を支持する支持部を有し、かつリブを下段トレーの支持部に対向して配置したものであり、
　上段トレーのリブと下段トレーの支持部との組合せによりＴＡＢの側縁を挟持し、ＴＡＢをＴＡＢ収納部内に固定する構造としたことを特徴とする請求項第(1)項記載のＴＡＢ用トレー。」（実用新案登録請求の範囲）
　
[刊行物２]
「半導体素子（１１）と、該半導体素子（１１）を搭載するダイパッド（１２）と、該半導体素子（１１）を封止する樹脂製パッケージ（１３）と、該半導体素子（１１）に接続されるインナーリード（１４ａ）と該樹脂製パッケージ（１３）の外部に延出したアウターリード（１４ｂ）とにより構成される複数のリード（１４）とを有する半導体装置本体（１６）と、
該アウターリード（１４ｂ）より外側位置に該半導体装置本体（１６）を囲繞するように配設される枠体部（１８，２３）と、該枠体部（１８，２３）と該半導体装置本体（１６）との間に配設れさており該半導体装置本体（１６）を該枠体部（１８，２３）に支持させる支持部（１９）とを有すると共に、該枠体部（１８，２３）と該支持部（１９）とが金属材により前記ダイパッド（１２）と一体的に形成されてなる保護枠（１７，２４）と、
により構成されることを特徴とする半導体装置」（特許請求の範囲請求項１）　
　
[刊行物３]
「目的とするところは、ＱＦＰのみならず、さまざまな半導体装置において正背面収納の制限がなくなるというトレーを提供するところにある。」（２頁16〜19行）
「第１図の１は、半導体装置であるところのＱＦＰ、２はＱＦＰトレー本体である。第１図（ａ）は、ＱＦＰ正面収納を表わす断面図、第１図（ｂ）は、ＱＦＰ背面収納を表わす断面図である。ここで、Ａ、Ａ’のリブでＱＦＰの横方向の移動を防ぎ、Ｂ、Ｂ’の押えでＱＦＰの上方向の移動を防ぐ構造となっている。また、このトレーを上下裏がえしても、Ｃ、Ｃ’のリブはＱＦＰの横方向の移動を防ぎ、Ｄ、Ｄ’の押えによってＱＦＰの上方向に移動を防ぐ構造となる。」（３頁６〜15行）
　
[刊行物４]
「混成集積回路装置ａの形状に合わせた凹状の収納部11が形成された薄板の成形体からなる混成集積回路装置用トレイにおいて、収納部11の対向する側壁12，12に、混成集積回路装置ａの回路基板ｂから突出した端子ｄ，ｄ…の長さｌより高い段部13，13を形成し、収納部11を仕切るリブ14a,14bにあって、これらリブ14a,14bと直交する収納部11の中心線Ｃ−Ｃに対して対称な位置に、深さの異なる対となった凹部15と16を形成し、この深さの差Ｉを、上記段部13，13の高さに、回路基板ｂの下面を基準とした搭載部品ｃ，ｃ…の最大高さｈを加えた寸法より深く設定してなることを特徴とする混成集積回路装置用トレイ。」（実用新案登録請求の範囲）
　
(C)対比・判断
　(C-1)訂正発明１について
　全文訂正明細書の記載によれば、訂正発明１は「ボール端子集積回路用トレイ」に係るものであって、「ソルダーボール端子（solder　ball　terminals）に特徴があるような集積回路の格納及び輸送装置に関する」（段落【0001】）ものであり、「本発明の目的は、電子構成部分、特に二つの方向のいずれかの構成部分を有する、ボールグリッドアレイ集積回路構成部分の輸送及び格納のための経済的なトレイを提供すること」（段落【0008】）にある。
　しかるに、前掲各刊行物には、「ソルダーボール端子に特徴があるような集積回路」所謂ＢＧＡについての記載はなく、上記課題を示唆する記載も見当たらない。
　刊行物１は端子を突出させていないＴＡＢ用トレイに関するものであり、刊行物２は四方の側縁からリードを突出させた半導体に関するもの、刊行物３〜４は端子ピンを有する所謂ピングリッドアレイ（ＰＧＡ）集積回路を収納用のトレイに関するものである。
　これに対し、ボールグリッドアレイ（ＢＧＡ）集積回路は、ピングリッドアレイ（ＰＧＡ）集積回路に比べ端子密度は遙かに大きく（訂正明細書段落【0005】参照）、「ソルダーボール端子は、ＰＧＡ集積回路パッケージにおける端子ピンよりも物理的損傷に影響されやすい」（同段落【0006】）ものである。
　訂正発明１においては、そのようなＢＧＡ集積回路用のトレイにおける上記課題解決のために、特許請求の範囲に記載の構成を採用するものであり、そのことによって、はじめて、課題を解決することができ、訂正明細書記載の如き顕著な作用、効果を奏するものと解される。
　したがって、刊行物１〜４をもってしては、訂正発明１を該各刊行物に記載された発明に基づいて当業者が容易に発明をすることができたものとすることができない。
　
　(C-2)訂正発明２〜３について 
　訂正発明２〜３は、訂正発明１を引用するものであり、前記(C-1)に述べた、訂正発明１に対するものと同じ理由により、刊行物１〜４に記載された発明に基づいては、当業者が容易に発明をすることができたものとすることができない。
　
　(C-3)訂正発明４〜７について
　訂正発明４〜７は、ボール端子集積回路用トレイシステムに係るものであり、訂正発明１〜３と同様に、ＢＧＡ集積回路に関する開示のない、刊行物１〜４に記載された発明に基づいては、当業者が容易に発明をすることができたものとすることができない。
　
　(C-4)まとめ
　したがって、刊行物１ないし４をもってしては訂正発明１〜７を特許出願の際、独立して特許を受けることができない発明とすることができない。
　また、他に、当該各発明について特許を受けることができない発明とする理由は見い出せない。
　
(4)結論
　以上のとおりであるから、上記訂正は、平成１１年改正前の特許法第１２０条の４第２項および同条第３項で準用する平成６年法律第１１６号による改正前の特許法第１２６条第１項ただし書、第２項及び第３項の規定に適合するので、当該訂正を認める。
　
３．特許異議の申立てについて
(1)申立ての理由の概要
　特許異議申立人小野浩一は、証拠として、甲第１号証：実願平2-91395号(実開平4-48135号)のマイクロフィルム（上記「刊行物１」に同じ。）、甲第２号証：特開平5-166992号公報（上記「刊行物２」に同じ。）、甲第４号証：実願平2-59086号(実開平4-19487号)のマイクロフィルム（上記「刊行物３」に同じ。）および甲第４号証：実願昭60-123872号(実開昭62-31089号)のマイクロフィルム（上記「刊行物４」に同じ。）を提出し、請求項１〜３及び７に係る発明は甲第１号証〜甲第４号証記載の発明に基づいて、また請求項４〜６に係る発明は甲第１、２および４号証記載の発明に基づいて当業者が容易に発明をすることができたものであるから特許法第２９条第２項の規定に該当し特許を受けることができない旨、また、請求項１〜３及び７は特許法第３６条第５項第２号に規定する要件を満たしていない旨主張する。
　また、特許異議申立人高田守は、証拠として、甲第１号証：実公平3-31743号公報を提出すると共に、請求項１、２、３及び７に係る特許は特許法第３６条第６項第１号および第２号の規定に違反してされたものであり、請求項４、５および６に係る発明は甲第１号証に記載された発明であるから特許法第２９条第１項第３号の規定に違反してされたものである旨主張する。
　さらに、特許異議申立人菊谷圭二は、証拠として、甲第１号証：実願昭63-168344号(実開平2-90286号)のマイクロフィルムを提出し、本件特許に係る発明は甲第１号証に基づいて当業者が容易になし得る発明であり、特許法第２９条第２項の規定により特許を受けることができない旨、および本件特許の特許出願は特許法第３６条第４項または同条第６項に規定する要件を満たしていない旨主張している。
　
(2)本件発明
　本件の請求項１〜７に係る発明は、上記訂正請求が認められた結果、全文訂正明細書の記載からみて、その特許請求の範囲の請求項１〜７に記載された事項により特定されるとおりのものである（その記載事項については、前記２(1)ａ欄の記載参照）。
　
(3)特許法第２９条違反との主張について
(A)特許異議申立人小野浩一の主張に対して
　当該申立人提出の甲第１〜４号証の記載事項および本件の請求項１〜７に係る発明との対比判断は、前記２(3)(B)(C)に記載のとおりであり、当該甲第１ないし４号証に記載された発明に基づいては、本件の請求項１〜７に係る発明を当業者が容易に発明をすることができたものと認めることができない。
　
(B)特許異議申立人高田守の主張に対して
　当該申立人提出の甲第１号証：実公平3-31743号公報を検討するに、当該証拠は、「フロッピーデイスク用磁気ヘッドコア、半導体チップ等の極薄板状品の梱包兼検査用トレー」に係るものであり、「トレー平板の上下面の対象位置に上下格子状突条を突設して、トレーを積層した状態で簡単かつ安全に極薄板状品の反転を可能にし、表裏面検査を容易にかつ確実した極薄板状品梱包兼検査用トレー」が開示されている（１頁１欄17〜23行参照）。
　しかしながら、当該証拠には、ボールグリッドアレイ（ＢＧＡ）集積回路を収納対象とする点については記載されておらず、ＢＧＡ集積回路用トレイが有する問題点等解決すべき課題を示唆する記載もない。
　当該申立人は、本件特許にかかる「集積回路構成部分」が「半導体チップ等の極薄板状品」であることは自明である旨主張するが、ＢＧＡ集積回路は極薄板状品であると同時に、「ボール端子」である点に特徴があるものであり、前述のように「ボール端子集積回路用トレイ」固有の課題も存在し、「極薄板状品」の点をもって両者を同一視することはできない。
　したがって、「ボール端子集積回路用トレイシステム」に関するものである請求項４ないし請求項６に係る発明を、当該証拠に記載された発明であるとすることはできない。
　
(C)特許異議申立人菊谷圭二の主張に対して
　当該申立人提出の甲第１号証：実願昭63-168344号（実開平2-90286号）のマイクロフィルムには、「リード線(2)付の半導体素子(1)を収容する容器(10)であって、半導体素子を収容した状態で、同じ容器を位相を合わせて上に重ねたとき、該容器相互間を一定の上下間隔に保つと共に水平方向に互いにずれないように位置決めする嵌合手段(11,12)と、該嵌合位置で、容器上面の支持部と上側容器下面の支持部との間で半導体素子のボディの上下位置を規制する手段(13,15)と、容器の上面又は上側容器の下面に設けた突起部又は窪み部により半導体素子のボディの水平位置を規制する手段(14,16)と、半導体素子のリード線を収容する空間部(18)とよりなることを特徴とする半導体素子用収容容器」（実用新案登録請求の範囲）が記載されている。
　しかしながら、当該証拠にも、ボールグリッドアレイ（ＢＧＡ）集積回路を収納対象とする点については記載されておらず、ＢＧＡ集積回路用トレイが有する問題点等解決すべき課題を示唆する記載もない。
　前述のように、本件の請求項１および請求項４に係る発明は、ＢＧＡ集積回路用のトレイおよびそれを用いたトレイシステムにおける固有の課題を解決するために、各請求項記載の構成を採用するものであり、そのことによって、はじめて、前記課題を解決することができ、明細書記載の如き顕著な作用、効果を奏するものと解される。
　したがって、「ボール端子集積回路用トレイ」および「ボール端子集積回路用トレイシステム」に関するものである請求項１および請求項４に係る発明を、当該証拠に記載された発明に基づいて当業者が容易に発明をすることができたものとすることはできない。
　
(D)まとめ
　また、上記各申立人が提出した証拠を合わせ考慮したとしても、それらの記載から、本件の請求項１ないし７に係る発明を、当業者が容易に発明をすることができたものとすることはできない。
　以上のとおりであるから、各特許異議申立人が提出した証拠をもってしては、本件に係る各発明が刊行物に記載された発明であるとすることができず、それらの記載から当業者が容易に発明をすることができたものであると認めることもできない。
　
(3)特許法３６条違反について
　本件に係る明細書の記載不備があるとする、各申立人の主張の概要は次のとおりである。
(a)請求項１の記載中、「かつ前記枠組手段が前記第１及び第２の方向の両方で前記格納ポケット領域トレイに前記集積回路構成部分の位置を安定させる」の記載は不明確である。
(b)請求項２の記載では、枠組手段と壁手段の関係が不明確である。
　　　　　　　　　　　　　　　　（以上、異議申立人小野浩一の主張）
(c)請求項１の記載中、「格納ポケット領域トレイ」「前記枠組手段が前記第１及び第２の方向の両方で前記格納ポケット領域トレイに前記集積回路構成部分の位置を安定させるときに、前記集積回路構成部分を当該集積回路構成部分の第２の方向でもって格納する」の記載は不明確である。
(d)請求項２の記載中、「前記トレイがそれぞれ第１及び第２の集積回路構成部分方向であるときに前記集積回路構成部分を安定させる」の記載は不明確である。
(e)請求項３の「前記中央延伸部及び前記コーナー延伸部のそれぞれは、前記中央部分と交差している面取りされたエッジを有する」の記載は不明確である。
(f)請求項７の記載中、「該コーナー延伸部及び該中央延伸部は、前記トレイがそれぞれ第１及び第２の方向であるときに」および「前記積み重ねられた第１及び第２のトレイの一つの前記中央延伸部は、前記積み重ねられた第１及び第２のトレイの他のコーナー延伸部と噛み合わせる」の記載は不明確である。 　　　　　　　　　   （以上、異議申立人高田守の主張）
(g)請求項１および４に記載される「枠組手段」「第１の支持手段」「第２の支持手段」について、実施例中に記載がない。（異議申立人菊谷圭二の主張）　
　そこで、上記(a)〜(g)の点について検討するに、それらは、「格納ポケット」あるいは、枠組手段と壁手段、支持手段との関係、コーナー延伸部と中央延伸部との関係などについての記載が明りょうでなかったことに基づくものと解され得るが、いずれも、上記訂正によって、明確になっており、各異議申立人が指摘する記載不備は解消したものと認める。
　なお、異議申立人菊谷圭二は平成１２年１０月１９日付け上申書において、上記訂正によっても、請求の範囲の記載において第１および第２の支持手段の内容および中央延伸部とコーナー延伸部の位置が不明瞭である旨主張しているが、当該申立人が指摘する箇所の記載でもそれらの構成が判り難いということはなく、その点をもって記載不備とするには当たらない。
　
４．むすび
　以上のとおりであるから、特許異議の申立ての理由及び証拠によっては、本件請求項１ないし請求項７に係る特許を取り消すことはできない。
　また、他に本件請求項１ないし請求項７に係る特許を取り消すべき理由を発見しない。
　よって、結論のとおり決定する。
【異議決定日】
平成１２年１１月８日（２０００．１１．８）
【訂正の要旨】
１．訂正事項ａ
　特許請求の範囲の請求項１〜７の記載、
「【請求項１】　プレーナーハウジング及び当該ハウジングの一つの側面に配置された端子のアレイを有している集積回路構成部分を収納するトレイであって、
　格納ポケット領域を規定し、集積回路構成部分を位置決めする枠組手段であって、水平面内において集積回路構成部分ハウジングの位置を安定させる枠組手段と、
　前記集積回路構成部分の一つの側面に噛み合わせるための前記枠組手段を横切る第１の支持平面を規定する前記枠組手段により支えられた第１の支持手段と、
　前記集積回路構成部分の他の側面に噛み合わせるための前記第１の支持平面に並行でかつ離間された第２の支持平面を規定する前記枠組手段により支えられた第２の支持手段とを備えており、
　前記トレイは、当該トレイが第１の実質的に水平な位置にあり前記第１の支持平面が前記第２の支持平面の上方にあるときに、前記集積回路構成部分を当該集積回路構成部分の第１の方向でもって格納し、該トレイが第２の実質的に水平な位置にあり前記第１の支持平面が前記第２の支持平面の下方にあり、かつ前記枠組手段が前記第１及び第２の方向の両方で前記格納ポケット領域トレイに前記集積回路構成部分の位置を安定させるときに、前記集積回路構成部分を当該集積回路構成部分の第２の方向でもって格納することを特徴とするトレイ。
　【請求項２】　前記枠組手段は、前記集積回路構成部分ハウジングのエッジに最も近い格納ポケット領域の制限を規定する複数の交差している壁手段を含み、当該壁手段のそれぞれは、中央部分と、前記第１及び第２の支持平面の一つの側面に対して垂直に延伸している前記壁手段の各交差におけるコーナー延伸部と、各前記壁手段の中央に配置されかつ前記第１及び第２の支持平面の他の側面に対して垂直に延伸している中央延伸部とを含み、当該中央延伸部及び該コーナー延伸部は、前記トレイがそれぞれ第１及び第２の集積回路構成部分方向であるときに前記集積回路構成部分を安定させることを特徴とする請求項１に記載のトレイ。
　【請求項３】　前記中央延伸部及び前記コーナー延伸部のそれぞれは、前記中央部分と交差している面取りされたエッジを有することを特徴とする請求項２に記載の集積回路構成部分を格納するトレイ。
　【請求項４】　プレーナーハウジング及び所定の位置で当該ハウジングの一つの側面に配置されたボール端子のアレイをそれぞれが有している複数のボールグリッドアレイ集積回路構成部分を格納する、第１及び第２のトレイを含んでいるトレイシステムであって、該第１及び第２のトレイのそれぞれは、前記集積回路構成部分のそれぞれに対する格納ポケット領域を規定する枠組手段と、
　前記集積回路構成部分の一つの側面に噛み合わせるための第１の支持平面を規定する各前記格納ポケット領域において前記枠組手段により支えられた第１の支持手段と、
　前記集積回路構成部分の他の側面に噛み合わせるための前記第１の支持平面に並行な第２の支持平面を規定する各前記格納ポケット領域において前記枠組手段により支えられた第２の支持手段と、
　前記第１及び第２のトレイの積み重ねを可能にする手段とを備えており、
　前記第１及び第２のトレイは、前記集積回路構成部分を捕らえ、隣接する積み重ねられたトレイの前記枠組手段は、対応している格納ポケット領域内で水平面内において前記集積回路構成部分の位置を安定させることを特徴とするトレイシステム。
　【請求項５】　前記第１及び第２のトレイのそれぞれは、積み重ねた関係で前記第１及び第２のトレイを位置合せする第１及び第２の相補的位置合わせ手段を有することを特徴とする請求項４に記載のトレイシステム。
　【請求項６】　前記第１及び第２のトレイのそれぞれは、外部周縁部分を有し、前記位置合わせ手段は、積み重ねた関係で前記第１及び第２のトレイを位置合せするために各トレイの対向側面から延伸すべく取付けられた相補的位置決め手段を含むことを特徴とする請求項５に記載のトレイシステム。
　【請求項７】　各前記トレイの前記枠組手段は、前記集積回路構成部分のエッジに最も近い格納ポケット領域の制限を規定する複数の交差している壁手段を含み、当該壁手段のそれぞれは、中央部分と、前記第１及び第２の支持平面の一つの側面に対して垂直に延伸している前記壁手段の各交差におけるコーナー延伸部と、各前記壁手段の中央に配置されかつ前記第１及び第２の支持平面の他の側面に対して垂直に延伸している中央延伸部とを含み、該コーナー延伸部及び該中央延伸部は、前記トレイがそれぞれ第１及び第２の方向であるときに前記集積回路構成部分を安定させ、前記積み重ねられた第１及び第２のトレイの一つの前記中央延伸部は、前記積み重ねられた第１及び第２のトレイの他のコーナー延伸部と噛み合わせることを特徴とする請求項４に記載のトレイシステム。」
を、特許請求の範囲の減縮および明りょうでない記載の釈明を目的として、
「【請求項１】　プレーナーハウジング及び当該ハウジングの一つの側面に配置された端子のアレイを有している集積回路構成部分を収納するボール端子集積回路用トレイであって、
　格納ポケット領域を規定し、集積回路構成部分を位置決めする枠組手段であって、水平面内において集積回路構成部分ハウジングの位置を安定させる枠組手段と、
　前記集積回路構成部分の一つの側面に噛み合わせるための前記枠組手段を横切る第１の支持平面を規定する前記枠組手段により支えられた第１の支持手段と、
　前記集積回路構成部分の他の側面に噛み合わせるための前記第１の支持平面に並行でかつ離間された第２の支持平面を規定する前記枠組手段により支えられた第２の支持手段とを備えており、かつ、
　前記集積回路構成部分の端縁際に、中央延伸部とコーナー延伸部とが、集積回路構成部分の端縁の上下を縦断するように、上下反対向きに設けられており、
　前記トレイは、当該トレイが第１の実質的に水平な位置にあり前記第１の支持平面が前記第２の支持平面の上方にあるときに、前記中央延伸部が、第１の方向において前記集積回路構成部分を安定させて、前記集積回路構成部分を第１の方向でもって格納し、該トレイが第２の実質的に水平な位置にあり前記第１の支持平面が前記第２の支持平面の下方にあるときに、前記コーナー延伸部が、第２の方向において前記集積回路構成部分を安定させて、前記集積回路構成部分を第２の方向でもって格納することを特徴とするボール端子集積回路用トレイ。
　【請求項２】　前記枠組手段は、第１の支持手段と第２の支持手段とが設けられており前記集積回路構成部分ハウジングのエッジに最も近い格納ポケット領域の境界を規定する複数の交差している壁手段を含み、当該壁手段のそれぞれは、中央部分と、前記第１及び第２の支持平面の一つの側面に対して垂直に延伸している前記壁手段の各交差におけるコーナー延伸部と、各前記壁手段の中央に配置されかつ前記第１及び第２の支持平面の他の側面に対して垂直に延伸している中央延伸部とを含み、
　集積回路構成部分が、第１の方向及び第２の方向であるときに、前記中央延伸部及び前記コーナー延伸部が、それぞれ、集積回路構成部分を安定させることを特徴とする請求項１に記載のボール端子集積回路用トレイ。
　【請求項３】　前記中央延伸部及び前記コーナー延伸部のそれぞれは、面取りされており前記壁手段の中央部分と直交する端面を有することを特徴とする請求項２に記載の集積回路構成部分を格納するボール端子集積回路用トレイ。
　【請求項４】　プレーナーハウジング及び所定の位置で当該ハウジングの一つの側面に配置されたボール端子のアレイをそれぞれが有している複数のボールグリッドアレイ集積回路構成部分を格納する、第１及び第２のトレイを含んでいるボール端子集積回路用トレイシステムであって、該第１及び第２のトレイのそれぞれは、前記集積回路構成部分のそれぞれに対する格納ポケット領域を規定する枠組手段と、
　前記集積回路構成部分の一つの側面に噛み合わせるための第１の支持平面を規定する各前記格納ポケット領域において前記枠組手段により支えられた第１の支持手段と、
　前記集積回路構成部分の他の側面に噛み合わせるための前記第１の支持平面に並行な第２の支持平面を規定する各前記格納ポケット領域において前記枠組手段により支えられた第２の支持手段と、
　前記第１及び第２のトレイの積み重ねを可能にする手段とを備えており、
かつ、
　積み重ねられた場合に第２のトレイの第２の支持平面を縦断するコーナー延伸部と、積み重ねら，れた場合に第１のトレイの第１の支持平面を縦断する中央延伸部とが、前記集積回路構成部分の端縁際に、上下反対向きに設けられており、
　前記第１及び第２のトレイは、前記集積回路構成部分を捕らえ、隣接する積み重ねられたトレイの前記枠組手段は、対応している格納ポケット領域内で水平面内において前記集積回路構成部分の位置を安定させることを特徴とするボール端子集積回路用トレイシステム。
　【請求項５】　前記第１及び第２のトレイのそれぞれは、積み重ねた関係で前記第１及び第２のトレイを位置合せする第１及び第２の相補的位置合わせ手段を有することを特徴とする請求項４に記載のボール端子集積回路用トレイシステム。
　【請求項６】　前記第１及び第２のトレイのそれぞれは、外部周縁部分を有し、前記位置合わせ手段は、積み重ねた関係で前記第１及び第２のトレイを位置合せするために各トレイの対向側面から延伸すべく取付けられた相補的位置決め手段を含むことを特徴とする請求項５に記載のボール端子集積回路用トレイシステム。
　【請求項７】　各前記トレイの前記枠組手段は、第１の支持手段と第２の支持手段とが設けられており前記集積回路構成部分のエッジに最も近い格納ポケット領域の境界を規定する複数の交差している壁手段を含み、当該壁手段のそれぞれは、中央部分と、前記第１及び第２の支持平面の一つの側面に対して垂直に延伸している前記壁手段の各交差におけるコーナー延伸部と、各前記壁手段の中央に配置されかつ前記第１及び第２の支持平面の他の側面に対して垂直に延伸している中央延伸部とを含み、
　前記集積回路構成部分が、第１の方向、第２の方向であるときに、前記中央延伸部、前記コーナー延伸部が、それぞれ、前記集積回路構成部分を安定させ、第１のトレイと第２のトレイとが積み重ねられた場合に、片方のトレイの一つの中央延伸部が、他方のトレイのコーナー延伸部と噛み合うことを特徴とする請求項４に記載のボール端子集積回路用トレイシステム。」
と訂正する。
２．訂正事項ｂ
　明細書の次の箇所の記載を明りょうでない記載の釈明を目的として訂正する。
▲１▼段落【０００９】の記載中、
「プレーナーハウジング及び当該ハウジングの一つの側面に配置された端子のアレイを有している集積回路構成部分を収納するトレイであって」を、
「プレーナーハウジング及び当該ハウジングの一つの側面に配置された端子のアレイを有している集積回路構成部分を収納するボール端子集積回路用トレイであって」とし、
「前記集積回路構成部分の他の側面に噛み合わせるための前記第１の支持平面に並行でかつ離間された第２の支持平面を規定する前記枠組手段により支えられた第２の支持手段とを備えており、前記トレイは、」を、
「前記集積回路構成部分の他の側面に噛み合わせるための前記第１の支持平面に並行でかつ離間された第２の支持平面を規定する前記枠組手段により支えられた第２の支持手段とを備えており、かつ、前記集積回路構成部分の端縁際に、中央延伸部とコーナー延伸部とが、集積回路構成部分の端縁の上下を縦断するように、上下反対向きに設けられており、前記トレイは、」とする。
▲２▼段落【００１０】の記載中、
「前記枠組手段は、前記集積回路構成部分ハウジングのエッジに最も近い格納ポケット領域の制限を規定する複数の交差している壁手段を含み、当該壁手段のそれぞれは、中央部分と、前記第１及び第２の支持平面の一つの側面に対して垂直に延伸している前記壁手段の各交差におけるコーナー延伸部と、各前記壁手段の中央に配置されかつ前記第１及び第２の支持平面の他の側面に対して垂直に延伸している中央延伸部とを含み、当該中央延伸部及び該コーナー延伸部は、前記トレイがそれぞれ第１及び第２の集積回路構成部分方向であるときに前記集積回路構成部分を安定させることにある。」を
「前記枠組手段は、第１の支持手段と第２の支持手段とが設けられており前記集積回路構成部分ハウジングのエッジに最も近い格納ポケット領域の境界を規定する複数の交差している壁手段を含み、当該壁手段のそれぞれは、中央部分と、前記第１及び第２の支持平面の一つの側面に対して垂直に延伸している前記壁手段の各交差におけるコーナー延伸部と、各前記壁手段の中央に配置されかつ前記第１及び第２の支持平面の他の側面に対して垂直に延伸している中央延伸部とを含み、集積回路構成部分が、第１の方向及び第２の方向であるときに、前記中央延伸部及び該コーナー延伸部が、それぞれ、集積回路構成部分を安定させることにある。」とする。
▲３▼段落【００１１】の記載中、
「前記中央延伸部及び前記コーナー延伸部のそれぞれは、前記中央部分と交差している面取りされたエッジを有することにある。」を
「前記中央延伸部及び前記コーナー延伸部のそれぞれは、面取りされており前記中央部分と直交する端面を有することにある。」とする。
▲４▼段落【００１２】の記載中、
「プレーナーハウジング及び所定の位置で当該ハウジングの一つの側面に配置されたボール端子のアレイをそれぞれが有している複数のボールグリッドアレイ集積回路構成部分を格納する、第１及び第２のトレイを含んでいるトレイシステムであって」を、
「プレーナーハウジング及び所定の位置で当該ハウジングの一つの側面に配置されたボール端子のアレイをそれぞれが有している複数のボールグリッドアレイ集積回路構成部分を格納する、第１及び第２のトレイを含んでいるボール端子集積回路用トレイシステムであって」とし、
「前記第１及び第２のトレイの積み重ねを可能にする手段とを備えており、前記第１及び第２のトレイは、」を
「前記第１及び第２のトレイの積み重ねを可能にする手段とを備えており、かつ、積み重ねられた場合に第２のトレイの第２の支持平面を縦断するコーナー延伸部と、積み重ねられた場合に第１のトレイの第１の支持平面を縦断する中央延伸部とが、前記集積回路構成部分の端縁際に、上下反対向きに設けられており、前記第１及び第２のトレイは、」とする。
▲５▼段落【００１５】の記載中、
「各前記トレイの前記枠組手段は、前記集積回路構成部分のエッジに最も近い格納ポケット領域の制限を規定する複数の交差している壁手段を含み、当該壁手段のそれぞれは、中央部分と、前記第１及び第２の支持平面の一つの側面に対して垂直に延伸している前記壁手段の各交差におけるコーナー延伸部と、各前記壁手段の中央に配置されかつ前記第１及び第２の支持平面の他の側面に対して垂直に延伸している中央延伸部とを含み、該コーナー延伸部及び該中央延伸部は、前記トレイがそれぞれ第１及び第２の方向であるときに前記集積回路構成部分を安定させ、前記積み重ねられた第１及び第２のトレイの一つの前記中央延伸部は、前記積み重ねられた第１及び第２のトレイの他のコーナー延伸部と噛み合わせることにある。」を、
「各前記トレイの前記枠組手段は、第１の支持手段と第２の支持手段とが設けられており前記集積回路構成部分のエッジに最も近い格納ポケット領域の境界を規定する複数の交差している壁手段を含み、当該壁手段のそれぞれは、中央部分と、前記第１及び第２の支持平面の一つの側面に対して垂直に延伸している前記壁手段の各交差におけるコーナー延伸部と、各前記壁手段の中央に配置されかつ前記第１及び第２の支持平面の他の側面に対して垂直に延伸している中央延伸部とを含み、前記集積回路構成部分が第１の方向、第２の方向であるときに、前記中央延伸部、前記コーナー延伸部が、それぞれ、前記集積回路構成部分を安定させ、第１のトレイと第２のトレイとが積み重ねられた場合に、片方のトレイの一つの前記中央延伸部が、他方のトレイのコーナー延伸部と噛み合わせることにある。」とする。
▲６▼段落【００１９】の記載中、
「図１から図４に示すトレイ１０は、トレイ１０を任意の数の分離した格納ポケット領域に分離する格子状のような枠組２４に成形される。」を、
「図１から図４に示すトレイ１０は、トレイ１０を任意の数の分離した格納ポケット領域に分離する格子状のような枠組手段である枠組２４に成形される。」とする。
▲７▼段落【００２０】の記載中、
「図５（図１の方向スキームにおけるタブの頂部上）では、壁３４上の対応するタブ５２、壁３５上のタブ５３、及び壁４０上のタブ５４と５５上のトップエッジ表面（ｔｏｐ　ｅｄｇｅ　ｓｕｒｆａｃｅｓ）は、第１の支持平面５６を形成する。」を、
「図５（図１の方向スキームにおけるタブの頂部上）では、壁３４上の対応する第１の支持手段であるタブ５２、壁３５上の第１の支持手段であるタブ５３、及び壁４０上の第１の支持手段であるタブ５４と５５上のトップエッジ表面（ｔｏｐ　ｅｄｇｅ　ｓｕｒｆａｃｅｓ）は、第１の支持平面５６を形成する。」とする。
▲８▼段落【００２０】の記載中、
「壁３４上の対応するタブ７０、壁３５上のタブ７１、及び壁４０上のタブ７２と７３のエッジ（端部）は、図２と図６に示すように端子下向き位置で集積回路１１を支持すべく集積回路１１の一つのプレーナー表面２２を噛み合わせる、図６に示すような、第２の支持平面７４を形成する。」を、
「壁３４上の対応する第２の支持手段であるタブ７０、壁３５上の第２の支持手段であるタブ７１、及び壁４０上の第２の支持手段であるタブ７２と７３のエッジ（端部）は、図２と図６に示すように端子下向き位置で集積回路１１を支持すべく集積回路１１の一つのプレーナー表面２２を噛み合わせる、図６に示すような、第２の支持平面７４を形成する。」とする。
（５４）【発明の名称】
ボール端子集積回路用トレイ
（５７）【特許請求の範囲】
　【請求項１】　プレーナーハウジング及び当該ハウジングの一つの側面に配置された端｝のアレイを有している集積回路構成部分を収納する
ボール端子集積回路用トレイ
　格納ポケット領域を規定し、集積回路構成部分を位置決めする枠組手段であって、水平面内において集積回路構成部分ハウジングの位置を安定させる枠組手段と、
　前記集積回路構成部分の一つの側面に噛み合わせるための前記枠組手段を横切る第１の支持平面を規定する前記枠組手段により支えられた第１の支持手段と、
　前記集積回路構成部分の他の側面に噛み合わせるための前記第１の支持平面に並行でかつ離間された第２の支持平面を規定する前記枠組手段により支えられた第２の支持手段とを備えており、
かつ、
　
前記集積回路構成部分の端縁際に、中央延伸部とコーナー延伸部とが、集積回路構成部分の端縁の上下を縦断するように、上下反対向きに設けられており、
　前記トレイは、当該トレイが第１の実質的に水平な位置にあり前記第１の支持平面が前記第２の支持平面の上方にあるときに、
前記中央延伸部が、第１の方向において前記集積回路構成部分を安定させて、前記集積回路構成部分を第１の方向でもって格納し、
あるときに
前記コーナー延伸部が、第２の方向において前記集積回路構成部分を安定させて、前記集積回路構成部分を第２の方向でもって格納亙ることを特徴とするボール端子集積回路用トレイ。
　【請求項２】　前記枠組手段は、
第１の支持手段と第２の支持手段とが設けられており
格納ポケット領域の境界を規定する
コーナー延伸部
中央延伸部
　
集積回路構成部分が、第１の方向及び第２の方向であるときに、前記中央延伸部及び前記コーナー延伸部か、それぞれ、集積回路構成部分を安定させる
ボール端子集積回路用トレイ
　【請求項３】　前記中央延伸部及び前記コーナー延伸部のそれぞれは、
面取りされており前記壁手段の中央部分と直交する端面を有する
ボール端子集積回路用トレイ
　【請求項４】　プレーナーハウジング及び所定の位置で当該ハウジングの一つの側面に配置されたボール端子のアレイをそれぞれが有している複数のボールグリッドアレイ集積回路構成部分を格納する、第１及び第２のトレイを含んでいる
ボール端子集積回路用トレイ
　前記集積回路構成部分のそれぞれに対する格納ポケット領域を規定する枠組手段と、
　前記集積回路構成部分の一つの側面に噛み合わせるための第１の支持平面を規定する各前記格納ポケット領域において前記枠組手段により支えられた第１の支持手段と、
　前記集積回路構成部分の他の側面に噛み合わせるための前記第１の支持平面に並行な第２の支持平面を規定する各前記格納ポケット領域において前記枠組手段により支えられた第２の支持手段と、
　前記第１及び第２のトレイの積み重ねを可能にする手段とを備えており、
かつ、
　
積み重ねられた場合に第２のトレイの第２の支持平面を縦断するコーナー延伸部と、積み車ねられた場合に第１のトレイの第１の支持平面を縦断する中央延伸部とか、前記集積回路構成部分の端縁際に、上下反対向きに設けられており、
　前記第１及び第２のトレイは、前記集積回路構成部分を捕らえ、隣接する積み重ねられたトレイの前記枠組手段は、対応している格納ポケット領域内で水平面内において前記集積回路構成部分の位置を安定させることを特徴とする
ボール端子集積回路用トレイ
　【請求項５】　前記第１及び第２のトレイのそれぞれは、積み屯ねた関係で前記第１及び第２のトレイを位置合せする第１及び第２の相補的位置合わせ手段を有することを特徴とする請求項４に記載の
ボール端子集積回路用トレイ
　【請求項６】　前記第１及び第２のトレイのそれぞれは、外部周縁部分を有し、前記位置合わせ手段は、積み重ねた関係で前記第１及び第２のトレイを位置合せするために各トレイの対向側面から延伸すべく取付けられた相補的位置決め手段を含むことを特徴とする請求項５に記載の
ボール端子集積回路用トレイ
　【請求項７】　各前記トレイの前記枠組｝段は、
第１の支持手段と第２の支持手段とが設けられており
格納ポケット領域の境界を規定する
　
前記集積回路構成部分が第１の方向、第２の方向であるときに、前記中央延伸部、前記コーナー延伸部が、それぞれ、前記集積回路構成部分を安定させ、第１のトレイと第２のトレイとが積み重ねられた場合に、片方のトレイの一一つの中央延伸部が、他方のトレイのコーナー延伸部と噛み合う
ボール端子集積回路用トレイ
【発明の詳細な説明】
　【０００１】
　【産業上の利用分野】本発明は、一般に集積回路に関し、より特定的には、ソルダーボール端子（ｓｏｌｄｅｒ　ｂａｌｌ　ｔｅｒｍｉｎａｌｓ）に特徴があるような集積回路の格納及び輸送用装置に関する。
　【０００２】
　【従来の技術】半導体構成部分の格納及び輸送は、特に、半導体構成部分が安価な、基本回路素子から高価で、精巧な、複合回路素子に仕上げられたときに、電子アセンブリの製造において重要な問題になっている。これらの構成部分が複雑性において成長するように、それらは、（機械的な）衝撃や蓄積した静電荷の放電のような、多くの外部作用（ｅｘｔｅｒｎａｌ　ｉｎｆｌｕｅｎｃｅｓ）からの損傷に影響されやすくなる。その結果、電子アセンブリ製造施設が利用する輸送、アセンブリ、及び試験手順に多くの変化があった。そのような手順は、適宜に実施されたときに、そのような電子アセンブリ施設の成功にいま非常に寄与する。例えば、ある一定の情況において、集積回路のような、構成部分を輸送し、それを予備試験し、かつプリント回路基板への搬送或いは挿入のための即時アクセスを構成部分へ供給することは、重要である。「チップ・キャリヤ（Ｃｈｉｐ　ｃａｒｒｉｅｒｓ）」は、個々の構成部分に対してそのような機能を提供（供給）する。「チップ・キャリヤ」は、処理、製造、試験及びアセンブリのオペレーション（動作）中に、衝撃或いは静電放電による損傷から、集積回路０）ような、個々の構成部分を保護しかつ収容する特別の固定治具である。チップ・キャリヤは、製造処理中に集積回路を方向付け、試験及びプリント回路基板への挿入のための端子（ｔｅｒｍｉｎａｌｓ）の適宜なプレイスメント（配置）及びγライメント（配列）を確実にできる。
　【０００３】他の情況において、試験なしで多数の集積回路及びそのような構成部分の格納及び輸送ための必要事項が存在するだけでありうる。例えば、集積回路製造業者は、そのような構成部分を顧客に大量に輸送する。ある顧客は、プリント回路基板へ直接的に組合せまたはグループでそのような構成部分を移動することを望みうる。他の顧客は、そのような構成部分を輸送または格納し、そして更なる輸送及び試験のためにチップキャリヤ或いは同様なものに構成部分を転送することを望みうる。この限定された要求事項が存在するときには、個々のチップキャリヤを取扱いかつ購入する費用を正当であると判断することは困難である。簡単な装置上に多重半導体構成部分を格納或いは搭載する装置の例は、下記の米国特許公報に示されている：Ｇｕｔｓｃｈｅ　ｅｔ　ａｌ．による米国特許公報第３，４６９，６８６号（１９６９年）
Ｃｒｏｎｋｈｉｔｅによる米国特許公報第３，４８２，６８２号（１９６９年）
Ｃｒｏｎｋｈｉｔｅによる米国特許公報第３，３６１，２５３号（１９７２年）
Ｈｕｔｓｏｎによる米国特許公報第３，９４６，８６４号（１９７６年）
Ｌｅｃｈｎｅｒ　ｅｔ　ａｌ．による米国特許公報第４，０５７，１４２号（１９７７年）
上記の参考文献は、一般的に、半導体ウェーハを格納する装置を開示する。そのようなウェーハは、しかしながら、完成した集積回路において通常遭遇する端子を有していない。これらのトレイ（ｔｒａｙｓ）は、端子を有する装置にすぐに適用できない。しかしながら、下記の米国特許公報は、集積回路構成部分の輸送或いはそのような集積回路構成部分を利用している回路の輸送のための装置を開示する：ＭｃＤｏｗｅｌｌによる米国特許公報第４，２１０，２４３号（１９８０年）
Ｂａｋｋｅｒによる米国特許公報第４，７２５，９１８号（１９８８年）
Ｋｏｅｈｎ　ｅｔ　ａｌ．による米国特許公報第４，７９２，０４２号（１９８８年）
Ｍｕｒｐｈｙによる米国特許公報第５，１０３，９７６号（１９９２年）
ＭｃＤｏｗｅｌｌに与えられた米国特許公報第４，２１０，２４３号は、トランジスタ・アウトライン（ＴＯ）形の集積回路パッケージを保持するトレイを開示する。このトレイは、複数の煙突形状の開口部を有する頂部板（ｔｏｐ　ｐｌａｔｅ）を備え、開口部のそれぞれは、ケース（ｃａｓｅ）を受け取るための円筒状の底部部分を有している。トレイの頂部端及び底部端は、第１のトレイの頂部が第２のトレイの底部の中にネストする（入れ子状に収まる）。ネストされたトレイが向きを変えられる（ｔｕｒｎｅｄ　ｏｖｅｒ）ときに、第１のトレイのパッケージ及び開口部は、それらのリード（ｌｅａｄｓ）の平坦部分で第２のトレイの底部上に座る（載る）。リム（ｒｉｍ）は、パッケージを対応付けられた開口部に降下させるべくトレイが揺らされたときにプレートに載ったパッケージの横方向の動きを制限するように寸法決めされている。
　【０００４】Ｂａｋｋｅｒに与えられた米国特許公報第４，７２５，９１８号は、明らかに集積回路を含んでいる電子装置を格納するボックス（筐体）を開示する。ボックスは、どちらかといえば電子装置を損傷しうる静電気蓄積（ｅｌｅｃｔｒｏｓｔａｔｉｃ　ａｃｃｕｍｕｌａｔｉｏｎ）及び合成放電（ｒｅｓｕｌｔａｎｔ　ｄｉｓｃｈａｒｇｅｓ）を最小にする材料を含む。Ｋｏｅｈｎ　ｅｔ　ａｌ．に与えられた米国特許公報第４，７９２，０４２号は、個々の電子回路に対するチップキャリヤを開示する。たとえ単一のパッケージでも、大量に発送のためにこれらのチップキャリヤを積み重ねることが可能である。上記ＭｃＤｏｗｅｌｌ、Ｂａｋｋｅｒ及びＫｏｅｈｎ　ｅｔ　ａｌ．特許のそれぞれは、単一の大きさまたは限定された範囲の大きさの構成部分と共に用いる装置を記載する。Ｍｕｒｐｈｙ特許は、ピングリットアレイ集積回路構成部分の輸送及び格納用トレイを開示する。ピングリッドアレイ（ＰＧＡ）集積回路構成部分は、一般に、半導体基板及び関連する回路構成要素を収容するためのセラミックまたは他の材料の薄いプレーナーハウジング（ｔｈｉｎ　ｐｌａｎａｒ　ｈｏｕｓｉｎｇ）を有する。端子ピンは、ハウジングの一つのプレーナー表面（ｐｌａｎａｒ　ｓｕｒｆａｃｅ）に対して垂直に延伸（伸長）する。端子ピンは、工業標準スペーシング（ｉｎｄｕｓｔｒｙ−ｓｔａｎｄａｒｄ　ｓｐａｃｉｎｇ）で行例のアレイまたはマトリックスを規定する。現在、スペーシングは、０．１インチであり、それで、端子密度は、平方インチ当たり約１００端子である。ＰＧＡ集積回路構成部分は、ハウジングの大きさ（１インチ平方から２．５インチ平方まで）またはマトリックスの大きさ（９×９端子ピンマトリックスから２５×２５端子ピンマトリックスまで）により二者択一的に規定される種々の大きさで到達する。
　【０００５】Ｍｕｒｐｈｙの特許は、多重ＰＧＡ集積回路構成部分を運ぶ積み重ね可能トレイを開示する。各トレイは、分離格納ポケット領域（ｄｉｓｃｒｅｔｅ　ｓｔｏｒａｇｅ　ｐｏｃｋｅｔ　ａｒｅａｓ）を規定する格子枠組（ｌａｔｔｉｃｅ　ｆｒａｍｅｗｏｒｋ）を有する。各格納ポケット領域は、枠組の部分にまたかるベース支持体を備え、かつ集積回路構成部分に噛み合う直立したリブ（ｒｉｂｓ）を含む。所与の組合せの直立したリブの軌跡は、直立したリブの他の組合せの軌跡と同心でありかつ該軌跡から離間された矩形または正方形を構成する。ハウジングからの依存端子ピンは、直立したリブの個々のものの間にある。これらのトレイは、そのような構成部分に固有な種々の特性を受け入れること及び製造工程により賦課された他の要求事項を満足することがわかっている。例えば、このトレイは、直接、繰り返し可能なトレイと端子ピンの間の相互関係を提供する。それは、輸送中の衝撃による損傷から端子ピンを保護し、かつ可能な放電及び損傷を回避すべくＰＧＡ集積回路構成部分上の静電荷の蓄積を防ぐ。集積回路製造業者は、ボールグリッドアレイ（ＢＧＡ）集積回路と呼ばれる集積回路パッケージをいま製造している。ＢＧＡ集積回路は、薄いプレーナーハウジング（ｔｈｉｎ　ｐｌａｎａｒ　ｈｏｕｓｉｎｇ）及びそのハウジングの一方の側（面）上の複数の外部端子によって特徴付けられる。各外部端子は、小さなソルダーボール（ｓｏｌｄｅｒ　ｂａｌｌ）を備えている。従来のＰＧＡ集積回路パッケージと同様に、ＢＧＡ集積回路パッケ−ジにおけるソルダ−ボール端子は、二次元アレイで構成されうる。しかしながら、ＢＧＡ集積回路パッケージにおける端子密度は、ＰＧＡ集積回路パッケージで得られたものよりも遥かに大きい（７倍以上にも及ぶ）。
　【０００６】ＢＧＡ集積回路パッケージの製造業者及びこれらのパッケージを回路単板上にアセンブリするそれら０）顧客は、ＰＧＡ集積回路パッケージに対応付けられたものよりも限定（制限）された一連の取扱い要求事項を案出した。例えば、ソルダーボール端子は、ＰＧＡ集積回路パッケージにおける端子ピンよりも物理的損傷に影響されやすい。その結果、製造業者と顧客の両者は、物理的及び電気的損傷から集積回路を保護する共通構成部分トレイ（ｃｏｍｍｏｎ　ｃｏｍｐｏｎｅｎｔ　ｔｒａｙ）を望んでいる。両者は、自動化されたアセンブリ技法を向山しすべくトレイにおけるＢＧＡ集積回路パッケージの繰り返し可能な位置決めを提供するトレイを望んでいる。両者は、多重ＢＧＡ集積回路パッケージを格納し、かつ多量の輸送及び格納を容易にすべく他のトレイと積み重ねられるトレイを望んでいる。しかしながら、製造業者と顧客は、共通の要求事項のあらゆるものを犠牲にせずに一致しなけらばならない一組の明らかに正反対の要求事項を有する。特定的に、製造業者は、プレーナーハウジングが実質的に水平であり、かつソルダーボール端子がハウジングの「てっぺん（ｏｎ　ｔｏｐ）」である「上方端子（ｔｅｒｍｉｎａｌｓｕｐ）」構成でＢＧＡ集積回路パッケージを輸送することを望む。この「上方端子」位置は、発送前に製造業者によるＢＧＡ集積回路パッケージの検査及び試験を容易にする。吏に、ある顧客は、初期検査及び予備試験のためにこの「上方端子」方向で構成部分と作業をすることを望むであろう。しかしながら、ほどんどの使用者は、回路基板に連結されたときにロボットのピック（引き上げ）及びブレース（配置）のために「下方端子（ｔｅｒｍｉｎａｌｓ　ｄｏｗｎ）」位置へ構成部分を「フリップ（ひっくり返す）」することを望むであろう。「下方端子」位置において、プレーナーハウジングは、ほぼ水平であり、端子は、プレーナーハウジングの「底部（ｂｏｔｔｏｍ）」上にある。
　【０００７】
　【発明が解決しようとする課題】しかしながら、従来技術の格納トレイは、全てのこれら要求事項を提供することが可能ではない。それぞれにおいて、「上方端子」及び「下方端子」方向のそれぞれに対して分離トレイを設計し、かつ一つのトレイの一つの方向におけるＢＧＡ集積回路パッケージを個々に他のトレイにおける第２の方向へ移すある方法論を確立することが必要である。そのような方法論は、それが余分な製造時間及び経費を導き、かつあらゆるそのような取扱いが集積回路構成部分の損傷の増大したリスクを導くので受け入れられない。従って、本発明の日的は、電子構成部分、特に二つの方向のいずれかの構成部分を有する、ボールグリッドアレイ集積回路構成部分の輸送及び格納のための経済的なトレイを提供することである。本発明の別の目的は、電子構成部分、特にボールグリッドアレイ集積回路構成部分を格納しかつ輸送するためのトレイであり、二つの方向のいずれかで構成部分及びそれら構成部分上の端子を正確に位置決めするトレイを提供することである。
　【０００８】本発明の別の目的は、電子構成部分、特にボールグリッドアレイ集積回路構成部分を格納しかつ輸送するためのトレイであり、構成部分の二つの方向のいずれかでトレイまたは他の装置との接触による損傷からそのような構成部分から出ている端｝を保護するトレイを提供することである。更に、本発明の別の目的は、端子がハウジングの上及びハウジングの下に向けられるときの両方でそのような構成部分の位置を安定させるプレーナーハウジングの一つの側面上にソルダ一端子を有するボールグリッドアレイ集積回路構成部分を格納しかつ輸送するためのトレイを提供することである。本発明の更なる別の目的は、各トレイが二つの方向のいずれかで構成部分を運ぶことができるボールグリッドアレイ集積回路構成部分を格納しかつ輸送するための積み重ね可能なトレイを提供することである。また、本発明の別の目的は、積み重ねられたトレイ及びそれに格納された構成部分を二つの方向間でフリップ（方向変え）させることによって手動及び自動取扱い技法の両方を容易にするボールグリッドアレイ集積回路構成部分を格納しかつ輸送するための同一の積み重ね可能なトレイを有するトレイシステムを提供することである。
　【０００９】
　【課題を解決するための手段】かかる本発明の内、請求項１に記載された発明の構成は、プレーナーハウジング及び当該ハウジングの一つの側面に配置された端子のアレイを有している集積川路構成部分を収納する
ボール端子集積回路用トレイ
かつ、前記集積回路構成部分の端縁際に、中央延伸部とコーナー延伸部とが、集積回路構成部分の端縁の土下を縦断するように、上下反対向きに設けられており、
前記中央延伸部が、第１の方向において前記集積回路構成部分を安定させて、前記集積回路構成部分を第１の方向でもって格納し
あるときに
前記コーナー延伸部が、第２の方向において前記集積回路構成部分を安定させて、前記集積回路構成部分を第２の方向でもって格納する
　【００１０】請求項２に記載された発明の構成は、請求項１に記載された発明において、前記枠組一手段は、
第１の支持手段と第２の支持手段とが設けられており
格納ポケット領域の境界を規定する
コーナー延伸部
中央延伸部とを含み、集積回路構成部分が、第１の方向及び第２の方向であるときに、前記中央延伸部及び前記コーナー延伸部が、それぞれ、集積回路構成部分を安定させる
　【００１１】請求項３に記載された発明の構成は、請求項２に記載された発明において、前記中央延伸部及び前記コーナー延伸部のそれぞれは、
面取りされており前記壁手段の中央部分と直交する端面を有する
　【００１２】請求項４に記載された発明の構成は、プレーナーハウジング及び所定の位置で当該ハウジングの一つの側面に配置されたボール端子のアレイをそれぞれが有している複数のボールグリッドアレイ集積回路構成部分を格納する、第１及び第２のトレイを含んでいる
ボール端子集積回路用トレイ
かつ、積み重ねられた場合に第２のトレイの第２の支持平面を縦断するコーナー延伸部と、積み重ねられた場合に第１のトレイの第１の支持平面を縦断する中央延伸部とが、前記集積回路構成部分の端縁際に、上下反対向きに設けられており、
　【００１３】請求項５に記載された発明の構成は、請求項４に記載された発明において、前記第１及び第２のトレイのそれぞれは、積み重ねた関係で前記第１及び第２のトレイを位置合せする第１及び第２の相補的位置合わせ手段を有することにある。
　【００１４】請求項６に記載された発明の構成は、請求項５に記載された発明において、前記第１及び第２のトレイのそれぞれは、外部周縁部分を有し、前記位置合わせ手段は、積み重ねた関係で前記第１及び第２のトレイを位置合せするために各トレイの対向側面から延伸すべく取付けられた相補的位置決め手段を含むことにある。
　【００１５】請求項７に記載された発明の構成は、請求項４に記載された発明において、各前記トレイの前記枠組手段は、
第１の支持手段と第２の支持手段とが設けられており
格納ポケット領域の境界を規定する
前記集積回路構成部分が第１の方向、第２の方向であるときに、前記中央延伸部、前記コーナー延伸部が、それぞれ、前記集積回路構成部分を安定させ、第１のトレイと第２のトレイとが積み重ねられた場合に、片方のトレイの一つの前記中央延伸部が、他方のトレイのコーナー延伸部と噛み合う
　【００１６】
　【作用】本発明によれば、薄いプレーナーハウジング及びハウジングの一つの側面上の複数の端子によって特徴付けられる集積回路構成部分を格納しかつ輸送するためのトレイは、構成部分のための格納ポケット領域を規定する枠組を備えている。枠組により支えられた第１の支持体は、集積回路構成部分の一つの側面を噛み合わせる（エンゲージングする）ための第１の支持平面を規定する。枠組により支えられた第２の支持体は、集積回路構成部分の他の側面を噛み合わせる（エンゲージングする）ための第１の支持平面に並行な第２の支持平面を規定する。この構成は、第１の支持平面が第２の支持平面の上にある第１の方向及び第１の支持平面が第２の支持平面の下にある第２の方向でトレイに集積回路部分を格納できるようにする。枠組は、両方向において集積回路構成部分の位置を安定させる。本発明の別の観点によれば、複数のボールグリッドアレイ集積回路構成部分を格納するためのトレイシステムは、第１及び第２のトレイを含む。各集積回路構成部分は、プレーナーハウジング及びハウジングの一つの側面上に配置されたボール端子を有する。第１及び第２のトレイのそれぞれは、枠組、第１及び第２の支持体の組合せを含む。枠組は、各集積回路構成部分に対する格納ポケット領域を規定し、対応する格納ポケット領域で各集積回路構成部分を位置決めしかつ対応する格納ポケット領域内で集積回路構成部分の位置を安定させる。各格納ポケット領域で枠組により支持される第１の支持体組合せは、その格納ポケット領域における集積回路構成部分の一つの側面をエンゲージする（噛み合せる）第１の支持平面を規定する。各格納ポケット領域で枠組により支持される第２の支持体組合せは、第１の支持平面に並行でありそれから離間されており、かつ集積回路構成部分の他の側面をエンゲージする（噛み合せる）第２の支持平面を規定する。各トレイ上の相補的構成は、第１及び第２のトレイに積み重ねられかつその間で集積回路構成部分を捕らえることができるようにする。
　【００１７】添付した特許請求の範囲は、本発明の主体を特に指摘しかつ明瞭にクレームする。本発明の種々の目的、利点及び新規な特徴は、同様な参照番号が同様な部分を示す添付した図面と関連して以下の詳細な説明の記載からより完全に明らかであろう。
　【００１８】
　【実施例】本発明による構成された集積回路構成部分等を格納しかつ輸送するためのトレイシステムは、図５及び図６の第２のトレイ１０Ａのような、一つ以上の追加のトレイと共に横み重ねられうる、図１から図４に示すようなトレイ１０を備えている。本実施例において、トレイ１０は、トレイ１０において、格納ポケット領域、或いは分離した位置で多数のボールグリッドアレイ（ＢＧＡ）集積回路構成部分を運ぶ。例として、図１から図６のそれぞれは、図１、図３及び図５に示すように、薄い、プレーナーハウジング２０及びハウジング２０の一つのプレーナー表面２２上に形成された複数のソルダーボール端子２１を有するＢＧＡ構成部分１１を表している。この方向では、端子２１は、ハウジング２０の「てっぺん（ｏｎ　ｔｏｐ）」にありかつ２次元マトリックスで構成される。これは、「端子上向き」方向である。図２、図４及び図６では、集積回路端子は、ハウジングの他の表面２３だけが可視な、「端子下向き」方向においてハウジング２０の下にある。トレイ１０は、一般的に導電性プラスチック（ｃｏｎｄｕｃｔｉｖｅ　ｐｌａｓｔｉｃ）の、集積的に成形された（ｉｎｔｅｇｒａｌｌｙ　ｍｏｌｄｅｄ）装置である。導電性プラスチックは、容易に成形され、導電性であり、かつ熱的にそして次元的に安定した種々の材料のあらゆるものからなる。導体が充填された、ポリエーテルスルホン材（ｐｏｌｙｅｔｈｅｒ　ｓｕｌｆｏｎｅ　ｍａｔｅｒｉａｌ）が好ましい。他の材料は、カーボンまたはアルミニウムが充填されたポリエーテルイミド、ポリアエリルスルホンズ（ｐｏｌｙａｅｒｙｌ　ｓｕｌｆｏｎｅｓ）及びポリエスターズを含む。
　【００１９】図１から図４に示すトレイ１０は、トレイ１０を任意の数の分離した格納ポケット領域に分離する格子状のような
枠組手段である
第１の支持手段である
第１の支持手段である
第１の支持手段である
　【００２０】壁のそれぞれは、第１のタブの個々のものと壁の隣接する交差点の間で形成された追加のタブを含む。再び図１と図３に示すように、格納ポケット領域２５を形成している壁表面の部分は、内方向に延伸しているタブ６０及び６１を支持し、同時に壁３５、４１及び３４の部分は、タブ６２と６３、タブ６４と６４（６５）、及びタブ６６と６７をそれぞれ支持する。壁３４上の対応する
第２の支持手段である
第２の支持手段である
第２の支持手段である
　【００２１】壁３５と４１で形成された交差９０のような、壁交差のぞれぞれは、隣接する格納ポケット領域のそれぞれの中に各壁部分に沿って延伸するコーナー延伸部構造（ｃｏｒｎｅｒ　ｅｘｔｅｎｓｉｏｎ　ｓｔｒｕｃｔｕｒｅ）を有する。格納ポケット領域２５では、例えば、コーナー延伸部９２の部分は、交差９０でタン８１から下方向にまたは反対の位置に延伸する。類似のコーナー延伸部９２は、壁４１と３４の交差から壁４１の部分に沿って延伸する。これらコーナー延伸部のそれぞれは、面取りされた表面８２と８３によって形成された図１及び図３に示すように対応している凹部９３または９４に噛み合って、コーナー延伸部とタン部分の相互噛み合い（ｉｎｔｅｒｅｎｇａｇｅｍｅｎｔ）を容易にする。更に、コーナー延伸部９１と９２のような、コーナー延伸部のそれぞれは、面取りされた自由エッジ９７及び９８でそれぞれ終端する。エッジは、端子下向き方向においてトレイ上で構成部分の設置を容易にする。図５に示すように、ハウジング１１のエッジは、中央タブ５２、５３、５４及び５５のエッジにより規定された第１の支持平面５６上に置かれる。トレイ１０Ａのコーナー延伸部１００と１０１は、トレイ１０の凹部１０２と１０３に相互に噛み合う。これらコーナー延伸部１００と１０１は、図５に示す方向において集積回路を通って垂直下向きに延伸する。中央延伸部８１に対応している、中央延伸部或いはタン１０４は、図１及び図３に示す凹部８４に対応するトレイ１０Ａに形成された凹部１０５の中へ上方向に延伸する。タン１０５（１０４）は、集積回路１１を通って垂直上向きに延伸する。その結果、特定の格納ポケット領域を取り囲んでいる壁の部分のそれぞれは、隣接する積み重ねられたトレイ１０及び１０Ａの壁の部分を含み、それらは、本質的に連続する壁表面を形成する。これらの壁のそれぞれは、同一であり、集積回路１１のエッジに最も近く配置されるので、格納ポケット領域において集積回路１１を捕らえ、かつ支持平面に並行（即ち、図５及び図６に示す方向に水平）な集積回路１１のあらゆる動きを制限する。
　【００２２】図６は、それらが端子下向き方向に集積回路１１を方向付けるべくフリッブ（方向変え）された後の図５の積み重ねられたトレイの構造を表す。この位置ではトレイ１０のタブ７２と７３に対応する、図のトレイ１０Ａにおけるタブ１０６と１０７のような、タブのエッジは、支持平面７４に対応している第２の支持平面７４Ａにおけるハウジング１１を支持する。支持平面５６と７４Ａは、集積回路ハウジング２０の厚みに対応している量で離間されている。本発明の別の観点によれば、図１及び図２において、梁３０から梁３３は、トレイ１０の表面上で突起部１１０、ｌ１１、１１２及び１１３と、トレイ１０の反対側面に形成された位置決めされたレセプタクル１１４、１１５、１１６及び１１７を含む。突起部のあるものは、重ね合せ（ｒｅｇｉｓｔｒａｔｉｏｎ）及び隣接トレイの適当なアライメントを確実にすべく異なる形状を有しうる。図１及び図２では、例えば、突起部１１０は、十字形として形成され、同時に突起部１１１から突起部１１３は、円筒形であり、そしてレセプタクル１１４は、レセプタクル１１５からレセプタクル１１７までよりも大きい。これは、隣接トレイがレセプタクル１１４でのみ積み重ねられ、かつ突起部１１０と噛み合うことを確実にする。更に、タン１０４のような、タンの延伸部、及び集積回路を通るコーナー延伸部１００と１０１のような、コーナー延伸部は、不適当に方向付けられたトレイが集積回路１１の端子２１を嵌合せずかつ損傷しないことを確実にする。
　【００２３】もしトレイが図５に示すように積み重ねられ、かつ上部トレイ１０Ａが次に取り除かれたならば、下部トレイは、図１に示すように端子２１を延伸する。この方向では、端子は、検査及び試験のためにアクセス可能である。タン８１のような中央タンは、集積回路１１のエッジのそれぞれをエンゲージして（噛み合わせて）、水平平面におけるその位置を安定させる。図５に示すようにもしトレイ１０Ａがトレイ１０の上に積み重ねられたならば、積み重ねられたトレイは、次に図６に示す方向へ向けを変えられうる。このプロセス中、両方のトレイにおける種々のタブが、トレイ回旋（ｔｒａｙ　ｒｏｔａｔｉｏｎ）中の二つのトレイに関して集積回路の位置を安定させるべく共同する（ｃｏａｃｔ）。もし上部トレイ、ここではトレイ１０が取り除かれたならば、トレイ１０Ａは、図２にも示すように、端子下向き位置に集積回路１１を保持する。この方向では、コーナー延伸部は、格納ポケット領域２５内で集積回路１１の位置を安定させる。それゆえに、本発明により構成されたトレイ１０が本発明の目的のそれぞれを満足することは、明らかである。トレイは、ボールグリッドアレイ集積回路構成部分と共に用いように直接的に構成される。単一のトレイは、「端子、上向き」または「端子下向き」位置に構成部分を方向付けうる。各ＢＧＡ構成部分の廻りの壁部分は、ピック（持ち上げ）及びプレース（配置）動作を容易にすべく各集積回路を正確に位置決めする。更に、壁部分は、ポケットを形成しかつ物理的損傷から集積回路を保護する。しかして、全ての端子は、「端子上向き」方向における検査及び試験のためにすぐにアクセス可能である。本発明は、ある一定の実施例により開示された。発明の本質から逸脱することなく多くの変更が開示された装置に対してなされうることは明らかである。例えば、特定的に開示されたトレイ１０は、二つの支持面のそれぞれを規定すべく内方向に延伸している複数のタブを用いる。他の構造は、そのようなタブに対して入れ換えられうるしかつこれら支持面の一つまたは両方を確立すべく役立ちうる。従って、本発明の真の精神及び範囲内に入る全てのそのような変化及び変更を網羅することは、添付された特許請求の範囲の企図である。
　【００２４】
　【発明の効果】本発明のトレイは、プレーナーハウジング及び当該ハウジングの一つの側面に配置された端子のアレイを有している集積回路構成部分を格納するトレイであって、格納ポケット領域を規定し、集積回路構成部分を位置決めし、かつ水平面内において集積回路構成部分ハウジングの位置を安定させる枠組手段と、集積回路構成部分の一つの側面に噛み合わせるための枠組を横切る第１の支持平面を規定する枠組手段により支えられた第１の支持手段と、集積回路構成部分の他の側面に噛み合わせるための第１の支持平面に並行でかつ離間された第２の支持平面を規定する枠組手段により支えられた第２の支持手段とを備えており、トレイは、トレイが第１の実質的に水平な位置にあり第１の支持平面が第２の支持平面の上方にあるときに、第１の方向で集積回路構成部分を格納し、トレイが第２の実質的に水平な位置にあり第１の支持平面が第２の支持平面の下方にあり、かつ枠組手段が第１及び第２の方向の両方で格納パレット領域トレイに集積回路構成部分の位置を安定させるときに、第２の方向で集積回路構成部分を格納するので、二つの方向のいずれかの電子構成部分を有する集積回路構成部分の輸送及び格納を経済的に行うことができる。また、電子構成部分を格納しかつ輸送するために、二つの方向のいずれかで構成部分及びそれら構成部分上の端子を正確に位置決めすることができる。
　【００２５】また、本発明のトレイシステムは、プレーナーハウジング及び所定の位置で当該ハウジングの一つの側面に配置されたボール端子のアレイをそれぞれが有している複数のボールグリッドアレイ集積回路構成部分を格納する、第１及び第２のトレイを含んでいるトレイシステムであって、第１及び第２のトレイのそれぞれは、各集積回路構成部分に対する格納ポケット領域を規定する枠組手段と、集積回路構成部分の一つの側面に噛み合わせるための第１の支持平面を規定する各格納ポケット領域において枠組手段により支えられた第１の支持手段と、集積回路構成部分の他の側面に噛み合わせるための第１の支持平面に並行な第２の支持平面を規定する各格納ポケット領域において枠組手段により支えられた第２の支持手段と、第１及び第２のトレイの積み重ねを可能にする手段とを備えており、第１及び第２のトレイは、集積回路構成部分を捕らえ、積み重ねられたトレイに隣接する枠組手段は、対応している格納ポケット領域内で水平面内において集積回路構成部分の位置を安定させるので、電子構成部分、特にボールグリッドアレイ集積回路構成部分を格納しかつ輸送するために、構成部分の二つの方向のいずれかでトレイまたは他の装置との接触による損傷からそのような構成部分から出ている端子を保護することができ、端子がハウジングの上及びハウジングの下に向けられるときの両方でそのような構成部分の位置を安定させるプレーナーハウジングの一つの側面上にソルダ一端子を有するボールグリッドアレイ集積回路構成部分を格納しかつ輸送することができる。更に、各トレイが二つの方向のいずれかで構成部分を運ぶことができるボールグリッドアレイ集積回路構成部分を格納しかつ輸送するための積み重ね可能である。また、積み重ねられたトレイ及びそれに格納された構成部分を二つの方向間でフリップさせることによって手動及び自動取扱い方法を容易に実行することができる。
【図面の簡単な説明】
　【図１】
　第１に方向における電子構成部分を格納しかつ輸送するための本発明により構成されたトレイの斜視図である。
　【図２】
　第２の方向における図１のトレイの斜視図である。
　【図３】
　トレイの平面図である。
　【図４】
　トレイの底面図である。
　【図５】
　第１の方向における図１の線分５−５に沿って一般的に得られた一組の積み重ねられたトレイの部分の拡大された断面図である。
　【図６】
　第２の方向における図５の一組のトレイの部分の拡大された断面図である。
　【符号の説明】
　１０　トレイ
　１１　ＢＧＡ構成部分
　２０　プレーナーハウジング
　２１　ソルダーボール端子
　２２　プレーナー表面
　２４　格子状枠組
　２５，２６，２７，２８　格納ポケット領域
　３０，３１，３２，３３　外部周縁梁
　３４，３５，３６　第１の壁の組合せ
　４０，４１，４２　第２の壁の組合せ
　４３〜５５，６０〜６７，７０〜７３　タブ
　５６　第１の支持手段
　７４　第２の支持手段
　８０　中央本体部分
　８１　中央延伸部（タン）
　８２，８３，８５，８６　面取りされた表面
　８４，９３，９４　凹部
　９０　交差
　９１，９２　コーナー延伸部
　１１０，１１１，１１２，１１３　突起部